(57)【要約】  衣類の部分洗浄構造（１）及び洗濯機であって、前記衣類の部分洗浄構造（１）は、取り外し可能に洗濯機のパネルベース（２）に設置され、洗濯機の給水経路／洗剤ケースに接続される。前記衣類の部分洗浄構造（１）は、押圧プレート（１１）と支持プレート（１２）を含む。前記押圧プレート（１１）は超音波トランスデューサ（１３）を含み、前記支持プレート（１２）は給水室（１２２）を含む。前記押圧プレート（１１）の形状は支持プレート（１２）に対応している。該押圧プレート（１１）を支持プレート（１２）方向に強く押圧すると、これらの間に衣類の洗浄対象部分（３１）を挟持するためのスリットが形成され、衣類（３）が挟持されるとともに、洗浄対象部分が超音波洗浄される。該洗浄構造は、衣類の襟や袖といった汚れやすい箇所を超音波洗浄する。該洗浄構造は取り外し可能に洗濯機内に設置されるため、洗浄した衣類を洗浄槽に直接投入して通常の洗浄を実行することが可能である。よって、余分な操作が必要なく、簡単且つ便利である。また、洗浄時間が短縮されるほか、構造がシンプルであり、経済的である。【選択図】図１
2020509804.tif 000002
【特許請求の範囲】
【請求項１】
取り外し可能に洗濯機のパネルベースに設置され、洗濯機の給水経路及び／又は洗剤ケースに接続される衣類の部分洗浄構造において、
押圧プレートと支持プレートを含み、前記押圧プレートは超音波トランスデューサを含み、前記支持プレートは給水室を含み、前記押圧プレートの形状は支持プレートに対応しており、該押圧プレートを支持プレート方向に強く押圧すると、これらの間に衣類の洗浄対象部分を挟持するためのスリットが形成され、衣類が挟持されるとともに、洗浄対象部分が超音波洗浄されることを特徴とする構造。
【請求項２】
前記押圧プレートには少なくとも１つの超音波孔が設けられ、前記超音波トランスデューサは超音波孔を介して押圧プレートに嵌設され、好ましくは、前記超音波孔は前記押圧プレートに均一に設けられ、前記超音波トランスデューサは、支持プレート方向に突出するよう超音波孔を介して押圧プレートに嵌設されるとともに、衣類の洗浄対象部分の挟持を補助することを特徴とする請求項１に記載の衣類の部分洗浄構造。
【請求項３】
前記押圧プレートは支持プレートに対し回動可能に装着され、パネルベースの装着端周りに持ち上げられるか、支持プレートを強く押圧することで、衣類の洗浄対象部分を解放又は挟持することを特徴とする請求項１に記載の衣類の部分洗浄構造。
【請求項４】
前記押圧プレートは支持プレートに対し固定的に装着され、衣類の洗浄対象部分を前記スリットに直接押し込むことで挟持が完了することを特徴とする請求項１に記載の衣類の部分洗浄構造。
【請求項５】
前記支持プレートは給水孔と給水室を含み、前記給水室の上蓋に少なくとも１つの吐水孔が設けられていることを特徴とする請求項１に記載の衣類の部分洗浄構造。
【請求項６】
前記支持プレートの給水孔は洗濯機の給水経路／洗剤ケースに接続されており、供給された水は給水室を経由して吐水孔から押圧プレートと支持プレートの間のスリットに流出し、押圧プレート上の超音波トランスデューサの作用によって、スリット内に挟持された衣類の洗浄対象部分が超音波洗浄されることを特徴とする請求項５に記載の衣類の部分洗浄構造。
【請求項７】
前記吐水孔は前記給水室の上蓋に均一に分布しており、好ましくは、前記吐水孔は、前記押圧プレート上の超音波孔に対応して前記給水室の上蓋に均一に分布していることを特徴とする請求項５に記載の衣類の部分洗浄構造。
【請求項８】
前記の衣類の一部を超音波洗浄した洗浄水流は、そのまま洗浄槽に排出されることを特徴とする請求項５に記載の衣類の部分洗浄構造。
【請求項９】
前記衣類の部分洗浄構造は排水経路を更に含み、前記の衣類の一部を超音波洗浄した洗浄水流は、前記排水経路を通じて排出されることを特徴とする請求項５に記載の衣類の部分洗浄構造。
【請求項１０】
請求項１〜９のいずれか１項に記載の衣類の部分洗浄構造を含むことを特徴とする洗濯機。
【発明の詳細な説明】
【技術分野】
【０００１】
本発明は、衣類の部分洗浄構造及び洗濯機に関し、具体的には、超音波を利用して衣類の襟元、袖口等の部位を洗浄する構造と、該洗浄構造を備える洗濯機に関する。
【背景技術】
【０００２】
従来の洗濯機は洗浄過程において、衣類の襟元や袖口等の部位を十分に洗浄する術がない。特に、シャツ等の衣類の場合には、襟元や袖口等の汚れ具合がその他の箇所よりも酷いことが多く、通常はユーザが手もみでこれらの部位を予洗いする。しかし、この場合には時間と労力を要し、自ずと面倒になってしまう。
【０００３】
現在のところ、こうした状況については、洗濯機にブラシを増設するか、超音波洗浄を追加するという主に２種類の解決策が存在する。洗濯機にブラシ等に類似する装置を増設する場合には、洗浄が不十分であるとの課題を完全には解決できず、且つ、衣類自体を激しく摩耗する等の被害も生じる。そのため、超音波洗浄を追加することで目的を達する必要が往々にしてある。
【０００４】
特許文献１は、部分超音波洗浄装置を備える洗濯機を開示している。該洗濯機は、洗濯機本体と超音波洗浄装置を含む。超音波洗浄装置は、超音波発生器、トランスデューサ、装置筐体及びトランスデューサベースから構成される。超音波発生器はコンピュータパネルに装着されるとともに、トランスデューサに接続されている。また、トランスデューサは装置筐体内のベースに装着されて、カバープレートにより強く押圧される。超音波洗浄装置は位置決めスタンドにより固定され、且つ、位置決めスタンドを介して洗濯機の操作台後部に装着される。該考案によれば、衣類の袖口や襟部を部分洗浄可能なことから、衣類の洗浄時に袖口や襟元を手洗い又はブラシ洗いする手間が省かれる。しかし、この種の方法では超音波洗浄装置が洗濯機の外部に設置されているため、超音波洗浄した衣類を通常洗浄したい場合には、超音波洗浄装置から衣類を取り出して洗濯機内に投入し直さねばならず、操作手順が増える。また、これらは別々に実行されるため操作時間が増加し、ユーザによる管理が容易でない。
【０００５】
これらに鑑みて、本発明を提案する。
【先行技術文献】
【特許文献】
【０００６】
【特許文献１】中国特許出願第２００５２００６９２５１．１号明細書
【発明の概要】
【発明が解決しようとする課題】
【０００７】
本発明は、従来技術における瑕疵を解消し、超音波を利用して衣類の襟元、袖口等の部位を洗浄する構造と、該構造を備える洗濯機を提供することを解決すべき技術的課題とする。
【課題を解決するための手段】
【０００８】
上記の技術的課題を解決すべく、本発明で採用する技術方案の基本思想について以下に述べる。
【０００９】
衣類の部分洗浄構造であって、取り外し可能に洗濯機のパネルベースに設置され、洗濯機の給水経路及び／又は洗剤ケースに接続される。衣類の部分洗浄構造は、押圧プレートと支持プレートを含み、前記押圧プレートは超音波トランスデューサを含み、前記支持プレートは給水室を含み、前記押圧プレートの形状は支持プレートに対応しており、該押圧プレートを支持プレート方向に強く押圧すると、これらの間に衣類の洗浄対象部分を挟持するためのスリットが形成され、衣類が挟持されるとともに、洗浄対象部分が超音波洗浄される。
【００１０】
前記衣類の部分洗浄構造は、衣類の洗浄対象部分を挟持して超音波洗浄を行うが、衣類の残りの部分は洗浄槽内に自然と垂れ下がる。
【００１１】
更に、前記押圧プレートには少なくとも１つの超音波孔が設けられ、前記超音波トランスデューサは超音波孔を介して押圧プレートに嵌設され、好ましくは、前記超音波孔は前記押圧プレートに均一に設けられ、前記超音波トランスデューサは、支持プレート方向に突出するよう超音波孔を介して押圧プレートに嵌設されるとともに、衣類の洗浄対象部分の挟持を補助する。これにより、衣類の落下が防止される。
【００１２】
前記押圧プレートは支持プレートに対し回動可能に装着され、パネルベースの装着端周りに持ち上げられるか支持プレートを強く押圧することで、衣類の洗浄対象部分を解放又は挟持する。衣類の洗浄対象部分を支持プレートに載置した後、押圧プレートを強く押圧することで衣類の洗浄対象部分の挟持が完了する。
【００１３】
前記押圧プレートは支持プレートに対し固定的に装着され、衣類の洗浄対象部分を押圧プレートと支持プレートの間のスリットに直接押し込むことで挟持が完了する。
【００１４】
更に、前記支持プレートは、給水孔と給水室を含み、前記給水室の上蓋に少なくとも１つの吐水孔が設けられている。
【００１５】
前記支持プレートの給水孔は洗濯機の給水経路／洗剤ケースに接続されており、供給された水は給水室を経由して吐水孔から押圧プレートと支持プレートの間のスリットに流出し、押圧プレート上の超音波トランスデューサの作用によってスリット内に挟持された衣類の洗浄対象部分が超音波洗浄される。
【００１６】
前記吐水孔は前記給水室の上蓋に均一に分布しており、好ましくは、前記吐水孔は、前記押圧プレート上の超音波孔に対応して前記給水室の上蓋に均一に分布している。
【００１７】
前記の衣類の一部を超音波洗浄した洗浄水流は、そのまま洗浄槽に排出される。前記吐水孔からの吐水が超音波トランスデューサと連携して衣類の一部を超音波洗浄した後に発生する洗浄水流は、そのまま洗浄槽に排出される。
【００１８】
前記衣類の部分洗浄構造は排水経路を更に含み、前記の衣類の一部を超音波洗浄した洗浄水流は、前記排水経路を通じて排出される。前記吐水孔からの吐水が超音波トランスデューサと連携して衣類の一部を超音波洗浄した後に発生する洗浄水流は、洗浄槽に進入することなく、前記衣類の部分洗浄構造の排水経路を通じて排出される。
【００１９】
更に、前記衣類の部分洗浄構造は、回動可能に洗濯機のパネルベースにおける装着口に設置される。好ましくは、該衣類の部分洗浄構造と洗濯機のパネルベースにおける水平面との夾角は±３０°の間とする。また、より好ましくは夾角を０°とする。即ち、衣類の部分洗浄構造と洗濯機のパネルベースにおける水平面が平行に設けられる。
【００２０】
更に、本発明は、衣類の部分洗浄構造を含む洗濯機を提供する。前記衣類の部分洗浄構造は、取り外し可能に洗濯機のパネルベースに設置されて、洗濯機の給水経路／洗剤ケースに接続される。前記衣類の部分洗浄構造は、押圧プレートと支持プレートを含み、前記押圧プレートは超音波トランスデューサを含み、前記支持プレートは給水室を含み、前記押圧プレートの形状は支持プレートに対応しており、該押圧プレートを支持プレート方向に強く押圧すると、これらの間に衣類の洗浄対象部分を挟持するためのスリットが形成され、衣類が挟持されるとともに、洗浄対象部分が超音波洗浄される。
【００２１】
前記押圧プレートには少なくとも１つの超音波孔が設けられ、前記超音波トランスデューサは超音波孔を介して押圧プレートに嵌設され、好ましくは、前記超音波孔は前記押圧プレートに均一に設けられ、前記超音波トランスデューサは、支持プレート方向に突出するよう超音波孔を介して押圧プレートに嵌設されるとともに、衣類の洗浄対象部分の挟持を補助する。前記押圧プレートは支持プレートに対し回動可能に装着され、パネルベースの装着端周りに持ち上げられるか、支持プレートを強く押圧することで、衣類の洗浄対象部分を解放又は挟持する。前記押圧プレートは支持プレートに対し固定的に装着され、衣類の洗浄対象部分を前記スリットに直接押し込むことで挟持が完了する。前記支持プレートは、給水孔と給水室を含み、前記給水室の上蓋に少なくとも１つの吐水孔が設けられている。前記支持プレートの給水孔は洗濯機の給水経路／洗剤ケースに接続されており、供給された水は給水室を経由して吐水孔から押圧プレートと支持プレートの間のスリットに流出し、押圧プレート上の超音波トランスデューサの作用によってスリット内に挟持された衣類の洗浄対象部分が超音波洗浄される。前記吐水孔は前記給水室の上蓋に均一に分布しており、好ましくは、前記吐水孔は、前記押圧プレート上の超音波孔に対応して前記給水室の上蓋に均一に分布している。前記の衣類の一部を超音波洗浄した洗浄水流は、そのまま洗浄槽に排出される。前記の衣類の一部を超音波洗浄した洗浄水流は、前記衣類の部分洗浄構造の排水経路を通じて排出される。
【発明の効果】
【００２２】
上記の技術方案を用いることで、本発明は従来技術と比較して以下のような有益な効果を有する。
【００２３】
１．洗浄構造は洗濯機内に設置されるため、洗浄した衣類を洗浄槽に直接投入して通常の洗浄を実行することが可能である。よって、余分な操作が必要なく、簡単且つ便利である。
【００２４】
２．衣類の部分洗浄は洗濯機の通常洗浄の給水過程で実施してもよいし、通常洗浄の過程で同時に実施してもよいため、洗浄時間が短縮される。
【００２５】
３．洗浄構造がシンプルであり、経済的である。
【００２６】
４．洗浄構造は回動可能にパネルベースに設置されるため、不要な場合には槽壁方向に回動させるか取り外せばよく、洗濯機の通常洗浄を妨げることがない。
【００２７】
５．洗浄構造には別の排水経路が設けられている。よって、洗浄対象の衣類の一部が大変汚れている場合には、洗浄時間を延長するとともに、汚水を槽外に直接排出することが可能なため、通常洗浄用の水を汚染することがない。且つ、洗浄対象の衣類の一部がそれほど汚れていない場合には、給水時に衣類を直接超音波洗浄し、排水を洗濯槽にそのまま流入させればよい。よって、簡単且つ便利である。
【００２８】
以下に、図面を組み合わせて本発明の具体的実施形態につき更に詳細に述べる。
【００２９】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００３０】
【図１】図１は、本発明における衣類の部分洗浄構造を示す図である。
【図２】図２は、本発明における洗浄構造の側面図である。
【図３】図３は、本発明における洗浄構造の押圧プレートを示す図である。
【図４】図４は、本発明における洗浄構造の吐水の実施例１を示す図である。
【図５】図５は、本発明における洗浄構造の支持プレートの平面図である。
【発明を実施するための形態】
【００３１】
なお、これらの図面及び文字記載は何らかの方式で本発明の構想の範囲を制限するとの意図ではなく、特定の実施例を参照して当業者に本発明の概念を説明するためのものである。
【００３２】
以下に、図面を組み合わせて本発明の具体的実施形態につき更に説明する。図１〜図５に示すように、本発明は、衣類の部分洗浄構造１と洗濯機を提供する。前記衣類の部分洗浄構造１は、取り外し可能に洗濯機のパネルベース２に設置されて、洗濯機の給水経路／洗剤ケースに接続される。前記衣類の部分洗浄構造１は、押圧プレート１１と支持プレート１２を含む。前記押圧プレート１１は超音波トランスデューサ１３を含み、前記支持プレート１２は給水室１２２を含む。前記押圧プレート１１の形状は支持プレート１２に対応している。該押圧プレート１１を支持プレート１２方向に強く押圧すると、これらの間に衣類の洗浄対象部分３１を挟持するためのスリットが形成され、衣類３が挟持されるとともに、洗浄対象部分が超音波洗浄される。
【００３３】
前記洗濯機はトップオープン式の洗濯機であり、正常な普通洗浄を実行可能であるとともに、衣類３の襟元や袖口といった汚れやすい部位を部分的に超音波洗浄することも可能である。前記正常な普通洗浄と超音波洗浄は別々に実行することも同時に実行することも可能である。
【００３４】
洗浄の実行前に、ユーザは衣類の洗浄対象部分３１の汚れ具合について初歩的な判断を行い、通常洗浄で洗浄効果を得られると考えた場合には、衣類の部分洗浄構造１による超音波洗浄を実行する必要はない。しかし、通常洗浄では洗浄効果を得られない汚れ具合であると考えた場合には、汚れ具合に応じて超音波洗浄の時間を選択する必要がある。衣類の洗浄対象部分３１が汚れているほど、超音波洗浄の時間は長くなる。
【００３５】
図１〜図２に示すように、前記衣類の部分洗浄構造１は、押圧プレート１１と支持プレート１２を含む。前記押圧プレート１１の形状は支持プレート１２に対応している。該押圧プレート１１を支持プレート１２に向かって強く押圧することでスリットが形成され、衣類の洗浄対象部分３１が挟持される。前記衣類の部分洗浄構造１は、衣類の洗浄対象部分３１を挟持して超音波洗浄を行うが、衣類３の残りの部分は洗浄槽内に自然と垂れ下がる。
【００３６】
図２〜図３に示すように、前記押圧プレート１１には少なくとも１つの超音波孔が設けられ、前記超音波トランスデューサ１３が超音波孔を介して押圧プレート１１に嵌設されている。好ましくは、前記超音波孔は前記押圧プレート１１に均一に設けられ、前記超音波トランスデューサ１３は、支持プレート１２方向に突出するよう超音波孔を介して押圧プレート１１に嵌設されるとともに、衣類の洗浄対象部分３１の挟持を補助する。これにより、衣類３の落下が防止される。前記超音波トランスデューサ１３は、超音波発生器から発せられた高周波発振信号を機械的な高周波発振に変換して液体洗剤に伝達する。
【００３７】
図２に示すように、前記押圧プレート１１が支持プレート１２に対し回動可能に装着され、パネルベースの装着端周りに持ち上げられるか、支持プレート１２を強く押圧することで、衣類の洗浄対象部分３１を解放又は挟持する場合には、衣類の洗浄対象部分３１を支持プレート１２に載置した後、押圧プレート１１を強く押圧することで衣類の洗浄対象部分３１の挟持が完了する。
【００３８】
また、図２に示すように、前記押圧プレート１１が支持プレート１２に対し固定的に装着される場合には、衣類の洗浄対象部分３１を押圧プレート１１と支持プレート１２の間のスリットに直接押し込むことで挟持が完了する。
【００３９】
図２及び図５に示すように、前記支持プレート１２は、給水孔１２１と給水室１２２を含む。また、前記給水室１２２の上蓋には少なくとも１つの吐水孔１２３が設けられている。
【００４０】
前記支持プレート１２の給水孔１２１は洗濯機の給水経路／洗剤ケースに接続されている。供給された水は給水室１２２を経由して吐水孔１２３から押圧プレート１１と支持プレート１２の間のスリットに流出し、押圧プレート１１上の超音波トランスデューサ１３の作用によって、スリット内に挟持された衣類の洗浄対象部分３１が超音波洗浄される。前記吐水孔１２３は前記給水室１２２の上蓋に均一に分布している。好ましくは、前記吐水孔１２３は、前記押圧プレート１１上の超音波孔に対応して前記給水室１２２の上蓋に均一に分布している。前記吐水孔１２３の形状は、超音波トランスデューサ１３のうち押圧プレート１１から突出する部分に一致しており、好ましくはこれらが対応して設けられる。
【００４１】
前記の衣類３の一部を超音波洗浄した洗浄水流４は、そのまま洗浄槽に排出される。この場合、前記吐水孔１２３からの吐水が超音波トランスデューサ１３と連携して衣類３の一部を超音波洗浄した後に発生する洗浄水流４は、そのまま洗浄槽に排出される。
【００４２】
前記衣類の部分洗浄構造１は、排水経路を更に含む。前記の衣類３の一部を超音波洗浄した洗浄水流４は、前記衣類の部分洗浄構造１の排水経路を通じて排出される。この場合、前記吐水孔１２３からの吐水が超音波トランスデューサ１３と連携して衣類３の一部を超音波洗浄した後に発生する洗浄水流４は、洗浄槽に進入することなく、前記衣類の部分洗浄構造１の排水経路を通じて排出される。
【００４３】
前記衣類の部分洗浄構造１は、回動可能に洗濯機のパネルベース２における装着口に設置される。好ましくは、該衣類の部分洗浄構造１と洗濯機のパネルベース２における水平面との夾角は±３０°の間とする。また、より好ましくは夾角を０°とする。即ち、衣類の部分洗浄構造１と洗濯機のパネルベース２における水平面が平行に設けられる。前記衣類の部分洗浄構造１は回動可能に設置されるため、洗浄する衣類３を部分的に超音波洗浄する必要がない場合には、衣類の部分洗浄構造１を上又は下に回動してパネルベース又は洗浄槽に近接させることで、正常な普通洗浄操作への影響を回避すればよい。
【００４４】
更に、本発明は、上述した衣類の部分洗浄構造１を含む洗濯機を提供する。
【実施例１】
【００４５】
図１〜図５に示すように、本実施例では洗濯機を提供する。該洗濯機は衣類の部分洗浄構造１を含む。前記衣類の部分洗浄構造１は、取り外し可能に洗濯機のパネルベース２に設置される。図１〜図２に示すように、前記衣類の部分洗浄構造１は、押圧プレート１１と支持プレート１２を含む。前記押圧プレート１１は超音波トランスデューサ１３を含み、前記支持プレート１２は給水室１２２を含む。前記押圧プレート１１の形状は支持プレート１２に対応している。該押圧プレート１１を支持プレート１２方向に強く押圧すると、これらの間に衣類の洗浄対象部分３１を挟持するためのスリットが形成され、衣類３が挟持されるとともに、洗浄対象部分が超音波洗浄される。
【００４６】
図２〜図３に示すように、前記押圧プレート１１には少なくとも１つの超音波孔が設けられ、前記超音波トランスデューサ１３が超音波孔を介して押圧プレート１１に嵌設されている。好ましくは、前記超音波孔は前記押圧プレート１１に均一に設けられ、前記超音波トランスデューサ１３は、支持プレート１２方向に突出するよう超音波孔を介して押圧プレート１１に嵌設されるとともに、衣類の洗浄対象部分３１の挟持を補助する。これにより、衣類３の落下が防止される。
【００４７】
図２に示すように、前記押圧プレート１１は支持プレート１２に対し回動可能に装着され、パネルベースの装着端周りに持ち上げられるか、支持プレート１２を強く押圧することで、衣類の洗浄対象部分３１を解放又は挟持する。衣類の洗浄対象部分３１を支持プレート１２に載置した後、押圧プレート１１を強く押圧することで衣類の洗浄対象部分３１の挟持が完了する。
【００４８】
図２及び図５に示すように、前記支持プレート１２は、給水孔１２１と給水室１２２を含む。また、前記給水室１２２の上蓋には少なくとも１つの吐水孔１２３が設けられている。
【００４９】
前記支持プレート１２の給水孔１２１は洗濯機の給水経路／洗剤ケースに接続されている。供給された水は給水室１２２を経由して吐水孔１２３から押圧プレート１１と支持プレート１２の間のスリットに流出し、押圧プレート１１上の超音波トランスデューサ１３の作用によって、スリット内に挟持された衣類の洗浄対象部分３１が超音波洗浄される。前記吐水孔１２３は前記給水室１２２の上蓋に均一に分布している。好ましくは、前記吐水孔１２３は、前記押圧プレート１１上の超音波孔に対応して前記給水室１２２の上蓋に均一に分布している。前記吐水孔１２３の形状は、超音波トランスデューサ１３のうち押圧プレート１１から突出する部分に一致しており、好ましくはこれらが対応して設けられる。
【００５０】
前記の衣類３の一部を超音波洗浄した洗浄水流４は、そのまま洗浄槽に排出される。前記吐水孔１２３からの吐水が超音波トランスデューサ１３と連携して衣類３の一部を超音波洗浄した後に発生する洗浄水流４は、そのまま洗浄槽に排出されて、洗浄槽内で普通洗浄を完了した後に脱水により排出される。
【００５１】
衣類３を洗浄する際には、まず衣類３の汚れ具合を観察し、例えばシャツの襟や袖のように、部分的な超音波洗浄を要するほど汚れ具合が酷く、且つ普通洗浄による洗いが容易でない部分を探し出す。次に、洗濯機の上蓋を開放して押圧プレート１１を持ち上げ、衣類の洗浄対象部分３１を支持プレート１２上に載置する。このとき、汚れ部分を押圧プレート１１上の超音波トランスデューサ１３に対応するよう載置し、押圧プレート１１を強く押圧することで、衣類の洗浄対象部分３１を支持プレート１２と押圧プレート１１の間に挟持する。最後に、洗濯機は普通洗浄の給水を行いながら超音波洗浄を開始するか、普通洗浄の給水に先立って超音波洗浄を行う。そして、給水が完了するか、超音波洗浄の設定時間に達すると、超音波洗浄した水がそのまま洗浄槽内に流入する。
【００５２】
超音波洗浄が終了すると、一部が挟持された衣類３は、含水後の重力の作用によって、押圧プレート１１と支持プレート１２による挟持から自然と抜け出して洗浄槽内に落下する。或いは、普通洗浄が開始されると、衣類３は挟持されていない部分による引っ張り力の作用によって、押圧プレート１１と支持プレート１２による挟持から自然と抜け出して洗浄槽内に落下する。或いは、洗濯機の上蓋を開放し、挟持された衣類３を取り外す。
【実施例２】
【００５３】
図１〜図５に示すように、本実施例では洗濯機を提供する。該洗濯機は衣類の部分洗浄構造１を含む。前記衣類の部分洗浄構造１は、取り外し可能に洗濯機のパネルベース２に設置される。図１〜図２に示すように、前記衣類の部分洗浄構造１は、押圧プレート１１と支持プレート１２を含む。前記押圧プレート１１は超音波トランスデューサ１３を含み、前記支持プレート１２は給水室１２２を含む。前記押圧プレート１１の形状は支持プレート１２に対応している。該押圧プレート１１を支持プレート１２方向に強く押圧すると、これらの間に衣類の洗浄対象部分３１を挟持するためのスリットが形成され、衣類３が挟持されるとともに、洗浄対象部分が超音波洗浄される。
【００５４】
図２に示すように、本実施例において、前記押圧プレート１１は支持プレート１２に対し回動可能に装着され、パネルベースの装着端周りに持ち上げられるか、支持プレート１２を強く押圧することで、衣類の洗浄対象部分３１を解放又は挟持する。衣類の洗浄対象部分３１を支持プレート１２に載置した後、押圧プレート１１を強く押圧することで衣類の洗浄対象部分３１の挟持が完了する。
【００５５】
前記衣類の部分洗浄構造１は、排水経路を更に含む。前記の衣類３の一部を超音波洗浄した洗浄水流４は、前記衣類の部分洗浄構造１の排水経路を通じて排出される。前記吐水孔１２３からの吐水が超音波トランスデューサ１３と連携して衣類３の一部を超音波洗浄した後に発生する洗浄水流４は、洗浄槽に進入することなく、前記衣類の部分洗浄構造１の排水経路を通じて排出される。
【００５６】
衣類３を洗浄する際には、まず衣類３の汚れ具合を観察し、例えばシャツの襟や袖のように、部分的な超音波洗浄を要するほど汚れ具合が酷く、且つ普通洗浄による洗いが容易でない部分を探し出す。次に、洗濯機の上蓋を開放して押圧プレート１１を持ち上げ、衣類３の洗浄対象部分を支持プレート１２上に載置する。このとき、汚れ部分を押圧プレート１１上の超音波トランスデューサ１３に対応するよう載置し、押圧プレート１１を強く押圧することで、衣類の洗浄対象部分３１を支持プレート１２と押圧プレート１１の間に挟持する。最後に、洗濯機は普通洗浄の給水を行いながら超音波洗浄を開始するか、普通洗浄の給水に先立って超音波洗浄を行う。そして、超音波洗浄の設定時間に達すると、超音波洗浄した水は洗浄槽内に進入することなく、衣類の部分洗浄構造１の排水経路を通じて排出される。
【００５７】
超音波洗浄が終了すると、一部が挟持された衣類３は、通常洗浄開始後の衣類３に対する引っ張り力の作用によって、押圧プレート１１と支持プレート１２による挟持から自然と抜け出して洗浄槽内に落下し、その他の衣類とともに普通洗浄される。或いは、洗濯機の上蓋を開放し、挟持された衣類３を取り外す。
【実施例３】
【００５８】
図１〜図５に示すように、本実施例では洗濯機を提供する。該洗濯機は衣類の部分洗浄構造１を含む。前記衣類の部分洗浄構造１は、取り外し可能に洗濯機のパネルベース２に設置される。図１〜図２に示すように、前記衣類の部分洗浄構造１は、押圧プレート１１と支持プレート１２を含む。前記押圧プレート１１は超音波トランスデューサ１３を含み、前記支持プレート１２は給水室１２２を含む。前記押圧プレート１１の形状は支持プレート１２に対応している。該押圧プレート１１を支持プレート１２方向に強く押圧すると、これらの間に衣類の洗浄対象部分３１を挟持するためのスリットが形成され、衣類３が挟持されるとともに、洗浄対象部分が超音波洗浄される。
【００５９】
図２に示すように、本実施例では、前記押圧プレート１１が支持プレート１２に対し固定的に装着され、衣類の洗浄対象部分３１を押圧プレート１１と支持プレート１２の間のスリットに直接押し込むことで挟持が完了する。
【００６０】
前記の衣類３の一部を超音波洗浄した洗浄水流４は、そのまま洗浄槽に排出される。前記吐水孔１２３からの吐水が超音波トランスデューサ１３と連携して衣類３の一部を超音波洗浄した後に発生する洗浄水流４は、そのまま洗浄槽に排出されて、洗浄槽内で普通洗浄を完了した後に脱水により排出される。
【００６１】
衣類３を洗浄する際には、まず衣類３の汚れ具合を観察し、例えばシャツの襟や袖のように、部分的な超音波洗浄を要するほど汚れ具合が酷く、且つ普通洗浄による洗いが容易でない部分を探し出す。次に、洗濯機の上蓋を開放し、衣類の洗浄対象部分３１を押圧プレート１１と支持プレート１２の間のスリットに軽く押し込む。このとき、汚れ部分を押圧プレート１１上の超音波トランスデューサ１３に対応するよう載置して、衣類の洗浄対象部分３１の挟持を完了する。最後に、洗濯機は普通洗浄の給水を行いながら超音波洗浄を開始するか、普通洗浄の給水に先立って超音波洗浄を行う。そして、給水が完了するか、超音波洗浄の設定時間に達すると、超音波洗浄した水がそのまま洗浄槽内に流入する。
【００６２】
超音波洗浄が終了すると、一部が挟持された衣類３は含水後の重力の作用によって、押圧プレート１１と支持プレート１２による挟持から自然と抜け出して洗浄槽内に落下する。或いは、普通洗浄が開始されると、衣類３は挟持されていない部分による引っ張り力の作用によって、押圧プレート１１と支持プレート１２による挟持から自然と抜け出して洗浄槽内に落下する。或いは、洗濯機の上蓋を開放し、挟持された衣類３を取り外す。
【実施例４】
【００６３】
図１〜図５に示すように、本実施例では洗濯機を提供する。該洗濯機は衣類の部分洗浄構造１を含む。前記衣類の部分洗浄構造１は、取り外し可能に洗濯機のパネルベース２に設置される。図１〜図２に示すように、前記衣類の部分洗浄構造１は、押圧プレート１１と支持プレート１２を含む。前記押圧プレート１１は超音波トランスデューサ１３を含み、前記支持プレート１２は給水室１２２を含む。前記押圧プレート１１の形状は支持プレート１２に対応している。該押圧プレート１１を支持プレート１２方向に強く押圧すると、これらの間に衣類の洗浄対象部分３１を挟持するためのスリットが形成され、衣類３が挟持されるとともに、洗浄対象部分が超音波洗浄される。
【００６４】
図２に示すように、本実施例では、前記押圧プレート１１が支持プレート１２に対し固定的に装着され、衣類の洗浄対象部分３１を押圧プレート１１と支持プレート１２の間のスリットに直接押し込むことで挟持が完了する。
【００６５】
前記衣類の部分洗浄構造１は、排水経路を更に含む。前記の衣類の一部を超音波洗浄した洗浄水流４は、前記衣類の部分洗浄構造１の排水経路を通じて排出される。前記吐水孔１２３からの吐水が超音波トランスデューサ１３と連携して衣類の一部を超音波洗浄した後に発生する洗浄水流４は、洗浄槽に進入することなく、前記衣類の部分洗浄構造１の排水経路を通じて排出される。
【００６６】
衣類３を洗浄する際には、まず衣類３の汚れ具合を観察し、例えばシャツの襟や袖のように、部分的な超音波洗浄を要するほど汚れ具合が酷く、且つ普通洗浄による洗いが容易でない部分を探し出す。次に、洗濯機の上蓋を開放し、衣類の洗浄対象部分３１を押圧プレート１１と支持プレート１２の間のスリットに軽く押し込む。このとき、汚れ部分を押圧プレート１１上の超音波トランスデューサ１３に対応するよう載置して、衣類３の洗浄対象部分の挟持を完了する。最後に、洗濯機は普通洗浄の給水を行いながら超音波洗浄を開始するか、普通洗浄の給水に先立って超音波洗浄を行う。そして、超音波洗浄の設定時間に達すると、超音波洗浄した水は洗浄槽内に進入することなく、衣類の部分洗浄構造１の排水経路を通じて排出される。
【００６７】
超音波洗浄が終了すると、一部が挟持された衣類３は、通常洗浄開始後の衣類３に対する引っ張り力の作用によって、押圧プレート１１と支持プレート１２による挟持から自然と抜け出して洗浄槽内に落下し、その他の衣類とともに普通洗浄される。或いは、洗濯機の上蓋を開放し、挟持された衣類３を取り外す。
【００６８】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００６９】
１      衣類の部分洗浄構造
１１    押圧プレート
１２    支持プレート
１２１  給水孔
１２２  給水室
１２３  吐水孔
１３    超音波トランスデューサ
２      洗濯機のパネルベース
３      衣類
３１    衣類の洗浄対象部分
４      洗浄水流
【図１】
2020509804.tif 000003
【図２】
2020509804.tif 000004
【図３】
2020509804.tif 000005
【図４】
2020509804.tif 000006
【図５】
2020509804.tif 000007
【国際調査報告】
2020509804.tif 000008
2020509804.tif 000009
2020509804.tif 000010
2020509804.tif 000011